(57)【要約】      （修正有）【課題】一つの手帳で、２つの異なった対象のスケジュールの管理を、混同することなく効率良く容易に行えるようにした手帳を提供する。【解決手段】見開きタイプの手帳１０における一方の表紙１Ａ側に第１のスケジュール記入欄５を設けると共に、他方の表紙１Ｂ側に第２のスケジュール記入欄６を設ける。第１のスケジュール記入欄は、一方の表紙側より紙片２をめくることで順序良く経時的に記入することが出来るように紙片が配されている。一方、第２のスケジュール記入欄は、他方の表紙側より紙片２をめくることで順序良く経時的に記入することが出来るように紙片が配されている。また、一方のスケジュール記入欄は、紙片を左右方向にめくって見開くことで使用可能となるように設けられて、他方のスケジュール記入欄は、紙片を上下方向にめくって見開くことで使用可能となるように設けられている。【選択図】図１
0003167702.tif 000002
【実用新案登録請求の範囲】
【請求項１】
表紙と表紙の間に複数枚の紙片を重ねて配し、当該紙片の一辺側を背部として束ねた見開きタイプの手帳であって、
一方の表紙側に第１のスケジュール記入欄を備える第１紙片群を配すると共に、
他方の表紙側に第２のスケジュール記入欄を備える第２紙片群を配し、
前記第１紙片群は、前記一方の表紙側より紙片をめくることで経時的に前記第１のスケジュール記入欄へ記入できるように構成され、
前記第２紙片群は、前記他方の表紙側より紙片をめくることで経時的に前記第２のスケジュール記入欄へ記入できるように構成されている、
ことを特徴とする手帳。
【請求項２】
前記第１のスケジュール記入欄又は前記第２のスケジュール記入欄は、少なくとも何れか一方が、紙片を上下方向にめくって見開くことで用いる紙片群により構成されていることを特徴とする請求項１に記載の手帳。
【請求項３】
表紙と表紙の間に複数枚の紙片を重ねて配し、当該紙片の一辺側を背部として束ねた見開きタイプの手帳であって、
一方の表紙側に第１のスケジュール記入欄を備える第１紙片群を配すると共に、
他方の表紙側に第２のスケジュール記入欄を備える第２紙片群を配し、
前記第１紙片群は、前記一方の表紙側より紙片を左右方向にめくることで経時的に前記第１のスケジュール記入欄へ記入できるように構成され、
前記第２紙片群は、前記他方の表紙側より紙片を上下方向にめくることで経時的に前記第２のスケジュール記入欄へ記入できるように構成されている、
ことを特徴とする手帳。
【請求項４】
前記第１のスケジュール記入欄及び前記第２のスケジュール記入欄は、束ねられた紙片を見開いたときの片方の頁において所定期間分のスケジュール管理が出来るようにそれぞれ設けられ、この片方の頁を構成する紙片には、当該所定期間に相当する日付が予め印刷されていると共に、他方の頁を構成する紙片には、メモ記入欄が設けられていることを特徴とする請求項1乃至３の何れか１項に記載の手帳。
【請求項５】
前記第１のスケジュール記入欄及び前記第２のスケジュール記入欄は、束ねられた紙片を見開いたときの両方の頁が対となって所定期間分のスケジュール管理が出来るようにそれぞれ設けられ、この両方の頁を構成する各紙片には、当該所定期間に相当する日付が予め印刷されていることを特徴とする請求項１乃至３の何れか１項に記載の手帳。
【請求項６】
前記紙片は、前記一方の表紙と前記他方の表紙との間において挿脱可能なバインダー式であることを特徴とする請求項１乃至５の何れか１項に記載の手帳。
【考案の詳細な説明】
【技術分野】
【０００１】
本考案は、スケジュール記入欄を備える手帳に係り、詳しくは、一つの手帳で、２つの異なった対象のスケジュール管理を、混同することなく効率良く容易に行えるようにした手帳の構成技術に関するものである。
【背景技術】
【０００２】
スケジュール記入欄を備える手帳は、スケジュールを記入するスペースのタイプに応じて種々提案されている。このスケジュール記入欄のタイプには、たとえば、見開きレフト式、見開きセパレート式、１日１頁式、等がある。
見開きレフト式とは、手帳を開いたとき、左側の頁に1週間や１ヶ月間といった所定期間のスケジュールを記入するスペースが設けられているものである。また、見開きセパレート式とは、手帳を開いたとき、左頁から右頁にわたって所定期間のスケジュールを記入するスペースが設けられているものである。さらに、１日１頁式とは、1頁に１日分のスケジュールを記入するスペースが設けられているものである。
【０００３】
このような従来の手帳においては何れも、スケジュール記入欄が一つ（一組）しか設けられていない。そのため、一つの手帳においては、１つの対象のスケジュール管理を行うのが一般的である。ゆえに、たとえば、仕事もしくはプライベートといった異なった２つの対象のスケジュール管理を行う場合、その対象に関係なく一つスケジュール記入欄を兼用するか、もしくはそれぞれの対象に応じた数の手帳を持ち歩くしかなかった。
【０００４】
ところが、一つスケジュール記入欄を兼用して複数（２つ）の異なった対象のスケジュール管理を行うようにすると、互いのスケジュールの内容が混同してしまい、効率良く容易にスケジュール管理を行うことができないものであった。すなわち、この場合同じスケジュール記入欄にそれぞれの対象のスケジュールを一緒に書き込むこととなり、スケジュールの確認の際に、どれが誰のスケジュールなのか一目で見極めることが難しい煩わしいものとなってしまう。
【０００５】
しかも、一つスケジュール記入欄を兼用する場合、今までのスケジュール記入欄では書き込むスペースが不十分であり、単純に計算して今までの２倍となる広いスペースを有するスケジュール記入欄が必要になる。ところが、スケジュール記入欄のスペースに合わせてより寸法が大きい手帳とすると、従来の手帳に比して持ち歩き辛く、違和感を覚えるものとなり好ましくない。
【０００６】
この際、スケジュール管理を行う対象に応じて書き込む際の文字等の色を変えることで、誰のスケジュールなのかを一目で見極めるようにすることが考えられる。ところが、対象のスケジュールごとに色を変える場合、色の異なる複数の筆記具を持ち歩く必要があると共に、スケジュールを書き込む都度、筆記具の色を確認しなければならず、非常に煩わしいものである。また、誤って違う色の筆記具でスケジュールを書き込んでしまった場合、誰のスケジュールなのか混乱をもたらしてしまう虞がある。
【０００７】
一方、それぞれの対象に応じた数の手帳を持ち歩く場合、単純に手荷物が増えるばかりでなく、双方の手帳を区別して取り出すことが難しいものである。すなわち、旧来より手帳は１つだけ用い歩くことが普通となっている。ゆえに、急に手帳を複数持ち歩くようにした場合、どの手帳をどこにしまったか瞬時に思い出して取り出すことは難しい。そのため、意図する手帳で無い手帳を誤って取り出してしまい、結局、全ての手帳を取り出して所望の手帳を探し出すことになり、手帳自体の管理が煩わしい手間の掛かるものとなってしまう。
【０００８】
しかしながら、上述した従来技術以外に、一つの手帳で、異なった対象のスケジュールの管理を、混同することなく効率良く容易に行えるようにした手帳は今までのところ何ら提案されていない。ゆえに、現在では、従来技術における上記欠点を承知の上で、１つの手帳における一つスケジュール記入欄を兼用するか、それぞれの対象に応じた複数の手帳を持ち歩くしかなかった。
【０００９】
なお、本考案とは目的を異にするが、予定記入欄に罫線を設けることで形成された記入スペースの一端側に縦書きで日付を掲載し、その他端側に横書きで日付を掲載することで、予定記入欄に予定を横書きでも縦書きでも手軽に記入可能とした手帳が提案されている（特許文献１参照）。
このような構造の手帳であれば、スケジュールの管理を行う対象に応じて、一方を横書きとし、他方を縦書きとして区別することで、誰のスケジュールなのかを一目で見極めできるように、一つの手帳で、異なった対象のスケジュールの管理を行うことができるかも知れない。
【００１０】
しかしながら、上記特許文献１に記載の手帳の場合、結局、一つのスケジュール記入欄を異なった対象同士で兼用するものであるため、互いのスケジュールの記載が重なったものとなってしまう虞が多分にある。ゆえに、一つの手帳で、異なった複数の対象のスケジュール管理を混同することなく行うことは難しいものである。しかも、上記特許文献１に記載の手帳において、このような互いのスケジュールが重なってしまうことに対応するためには、上記従来技術と同様に、単純に計算して今までの２倍となる広いスペースを有するスケジュール記入欄を設けることが必要になり、持ち運びや取り扱いの点からいって煩わしく望ましくない。
【先行技術文献】
【特許文献】
【００１１】
【特許文献１】特開２００９−１９０３５８号公報
【考案の概要】
【考案が解決しようとする課題】
【００１２】
本考案は、上記事情に鑑みて成されたものであり、一つの手帳で、２つの異なった対象のスケジュールの管理を、混同することなく効率良く容易に行えるようにした手帳を提供することを目的とする。
【課題を解決するための手段】
【００１３】
上記の目的を達成するため、本考案の請求項１に係る手帳は、表紙と表紙の間に複数枚の紙片を重ねて配し、当該紙片の一辺側を背部として束ねた見開きタイプの手帳であって、一方の表紙側に第１のスケジュール記入欄を備える第１紙片群を配すると共に、他方の表紙側に第２のスケジュール記入欄を備える第２紙片群を配し、前記第１紙片群は、前記一方の表紙側より紙片をめくることで経時的に前記第１のスケジュール記入欄へ記入できるように構成され、前記第２紙片群は、前記他方の表紙側より紙片をめくることで経時的に前記第２のスケジュール記入欄へ記入できるように構成されていることを特徴とする。
【００１４】
また、本考案の請求項２に係る手帳は、請求項１に係る手帳において、前記第１のスケジュール記入欄又は前記第２のスケジュール記入欄は、少なくとも何れか一方が、紙片を上下方向にめくって見開くことで用いる紙片群により構成されていることを特徴とする。
【００１５】
また、本考案の請求項３に係る手帳は、表紙と表紙の間に複数枚の紙片を重ねて配し、当該紙片の一辺側を背部として束ねた見開きタイプの手帳であって、一方の表紙側に第１のスケジュール記入欄を備える第１紙片群を配すると共に、他方の表紙側に第２のスケジュール記入欄を備える第２紙片群を配し、前記第１紙片群は、前記一方の表紙側より紙片を左右方向にめくることで経時的に前記第１のスケジュール記入欄へ記入できるように構成され、前記第２紙片群は、前記他方の表紙側より紙片を上下方向にめくることで経時的に前記第２のスケジュール記入欄へ記入できるように構成されていることを特徴とする。
【００１６】
また、本考案は、請求項４に係る手帳は、請求項１乃至３の何れか１項に係る手帳において、前記第１のスケジュール記入欄及び前記第２のスケジュール記入欄は、束ねられた紙片を見開いたときの片方の頁において所定期間分のスケジュール管理が出来るようにそれぞれ設けられ、この片方の頁を構成する紙片には、当該所定期間に相当する日付が予め印刷されていると共に、他方の頁を構成する紙片には、メモ記入欄が設けられていることを特徴とする。
【００１７】
また、本考案は、請求項５に係る手帳は、請求項１乃至３の何れか１項に係る手帳において、前記第１のスケジュール記入欄及び前記第２のスケジュール記入欄は、束ねられた紙片を見開いたときの両方の頁が対となって所定期間分のスケジュール管理が出来るようにそれぞれ設けられ、この両方の頁を構成する各紙片には、当該所定期間に相当する日付が予め印刷されていることを特徴とする。
【００１８】
また、本考案は、請求項６に係る手帳は、請求項１乃至５の何れか１項に係る手帳において、前記紙片が、前記一方の表紙と前記他方の表紙との間において挿脱可能なバインダー式であることを特徴とする。
【考案の効果】
【００１９】
本考案によれば、表紙と表紙の間に複数枚の紙片を重ねて配し、当該紙片の一辺側を背部として束ねた見開きタイプの手帳において、一方の表紙側より使用可能とする第１のスケジュール記入欄と、他方の表紙側より使用可能とする第２のスケジュール記入欄を設ける。また、このとき、単に２つのスケジュール記入欄を設けるのではなく、一方の表紙側より紙片をめくることで経時的に記入できるように第１のスケジュール記入欄を設けると共に、他方の表紙側より紙片をめくることで経時的に記入できるように第２のスケジュール記入欄を設ける構成とする。これにより、２つの異なった対象のスケジュールの管理を、互いのスケジュールの内容が混同することなく効率良く容易に行うことができる。また、スケジュール記入欄が分かれているので、スケジュールの確認の際に、どれが誰のスケジュールなのか悩んでしまうことも無い。また、スケジュール管理を行う対象に応じて、スケジュール記入欄へ書き込む際の文字等の色を変える必要も無い。さらに、今までの手帳と同様の広さのスケジュール記入欄が確保されるので、スケジュール記入欄のスペースに合わせてより寸法が大きい手帳とする必要も無い。
【００２０】
また、紙片群が、経時的に順序良くスケジュール記入欄へ記入できる構成、すなわち、第１のスケジュール記入欄と第２のスケジュール記入欄の紙片群の綴り方が、一方の表紙側と他方の表紙側とで互いに逆向きとなっている、いわゆる両面側より使用可能なリバーシブル型となっているので、従来から用いられている右綴じ手帳又は左綴じ手帳として、煩わしさや違和感無く用いることができる。
【００２１】
しかも、２つのスケジュール記入欄が、一方の表紙側と他方の表紙側とで分かれているので、予定を組み入れたり、日程の調整を行ったりする際、一方のスケジュール記入欄を見開いていても、他方のスケジュール記入欄は閉じられた状態であるので、他方のスケジュールが相手に見られることのないものとすることができる。
したがって、それぞれの対象に応じた数の手帳を持ち歩くことなく、一つの手帳で、２つの異なった対象のスケジュールの管理を、混同することなく効率良く容易に行えるようにした手帳を提供することができる。
【図面の簡単な説明】
【００２２】
【図１】本考案に係る手帳の一例を示す図であり、第１のスケジュール記入欄と第２のスケジュール記入欄が分かるように手帳を見開いた状態を示す正面図である。
【図２】本考案に係る手帳の構造が分かるように見開いた状態を示す平面図である。
【図３】本考案に係る手帳における一方の表紙側に備えられた第１のスケジュール記入欄を説明する図である。
【図４】本考案に係る手帳における第１のスケジュール記入欄を構成する第１紙片群を説明する図である。
【図５】本考案に係る手帳における他方の表紙側に備えられた第２のスケジュール記入欄を説明する正面図である。
【図６】本考案に係る手帳における第２のスケジュール記入欄を構成する第２紙片群を説明する図である。
【図７】本考案に係る手帳における他方の表紙側に備えられた第２のスケジュール記入欄を説明する側面図である。
【図８】本考案に係る手帳における他方の表紙側に備えられた第２のスケジュール記入欄の他のタイプを説明する図である。
【図９】本考案に係る手帳における一方の表紙側に備えられた第１のスケジュール記入欄の他のタイプを説明する図である。
【考案を実施するための形態】
【００２３】
以下、本考案における実施の形態の一例について、図面を参照して説明する。
なお、以下に述べる実施の形態は、本考案の好適な具体例であるため技術的に種々の限定が付されている。しかしながら、本考案の範囲は、以下の説明において特に限定する旨の記載がない限り、これらの形態に限られるものではない。
【００２４】
本考案で意図する手帳は、表紙と表紙の間に複数枚の紙片を重ねて配し、当該紙片の一辺側を背部として束ねた見開きタイプとして用いられるものをいう。
本実施の形態においては、紙片の取り外しが効かないように製本され、一年間で使い切りとなる手帳（いわゆる、綴じ手帳）を例に説明する。
図1及び図２に示すように、本実施の形態における手帳１０は、表紙１と、複数の紙片２・・２とから構成されている。
【００２５】
表紙１は、重ねて束ねられた複数の紙片２・・２の外側を覆うように設けられ、紙片２の一辺側（背部）がその中央部付近に一体的に取り付けられた構成となっている。この表紙１は、紙や布、塩化ビニールなどの合成樹脂、革（合成皮革を含む）など様々な素材から構成することができ、素材は特に限定されない。
図1及び図２において、表紙１は、一つの平面部材を二つに折り曲げることにより構成されたくるみタイプとして示されている。ゆえに、表紙１は、折り曲げ部分を背部３とし、この背部３を境に、一方の表紙１Ａと他方の表紙１Ｂとに分けて構成されている。
【００２６】
紙片２は、第１のスケジュール記入欄５を備える第１紙片群２Ａと、第２のスケジュール記入欄６を備える第２紙片群２Ｂとを少なくとも含む。第１のスケジュール記入欄５は、２つの異なった対象のスケジュール管理を行う場合に一方の対象のスケジュールを書き込むものである。一方、第２のスケジュール記入欄６は、２つの異なった対象のスケジュール管理を行う場合に他方の対象のスケジュールを書き込むものである。ゆえに、本考案における手帳１０が備える紙片２としては、第１紙片群２Ａ及び第２紙片群２Ｂ以外に、メモ等を記入することができる無地紙片や、罫線や方眼が設けられた紙片を含んでいても良い。
本考案においては、図２に示すように、この第１紙片群２Ａが一方の表紙１Ａ側に配され、第２紙片群２Ｂが他方の表紙１Ｂ側に配されたものとして示されている。
【００２７】
第１のスケジュール記入欄５は、たとえば、図３に示すことができる。
図３において第１のスケジュール記入欄５は、紙片２を見開いたときの両方の頁が対となって一ヶ月間のスケジュール管理が出来るように設けられている。
また、第１のスケジュール記入欄５を構成する見開いた両方の頁には、当該所定期間（すなわち、一ヶ月間）に相当する日付７と曜日が予め印刷され、日付７ごとにスケジュールの内容を記載するための余白８が設けられている。また、暦注として、日付７に対応する六曜も記載されている。図３において、２０１１年１２月の一ヶ月間のスケジュールを管理する第１のスケジュール記入欄５が示されている。
【００２８】
この第１紙片群２Ａは、図４に示すように、一方の表紙１Ａ側より紙片２をめくることで、経時的に順序良く第１のスケジュール記入欄５への記入ができるように構成されている。
図４において、第１紙片群２Ａは、一方の表紙１Ａ側より順番に配された第一紙片２Ａ−１、第二紙片２Ａ−２、第三紙片２Ａ−３、第四紙片２Ａ−４、第五紙片２Ａ−５、・・・第十五紙片２Ａ−１５により構成されたものとして示されている。そして、第一紙片２Ａ−１と第二紙片２Ａ−２が見開かれる頁に、２０１１年１２月分の日付７が印刷され、一ヶ月間のスケジュール管理が出来るようになっている。また、同様に、第二紙片２Ａ−２と第三紙片２Ａ−３が見開かれる頁に、２０１２年１月分の日付が印刷され、第三紙片２Ａ−３と第四紙片２Ａ−４が見開かれる頁に、２０１２年２月分の日付が印刷され、第四紙片２Ａ−４と第五紙片２Ａ−５が見開かれる頁に、２０１２年３月分の日付が印刷されたものとなっている。そして、第十四紙片と第十五紙片２Ａ−１５が見開かれる頁に、２０１３年１月分の日付が印刷されたものとなっている。
【００２９】
第２のスケジュール記入欄６は、たとえば、図５に示すことができる。
図５において第２のスケジュール記入欄６は、第１のスケジュール記入欄５と同様に、紙片２を見開いたときの両方の頁が対となって一ヶ月間のスケジュール管理が出来るように設けられている。
また、第２のスケジュール記入欄６を構成する見開いた両方の頁には、当該所定期間（すなわち、一ヶ月間）に相当する日付７と曜日が予め印刷され、日付７ごとにスケジュールの内容を記載するための余白８が設けられている。図５において、第１のスケジュール記入欄５と同様に、２０１１年１２月の一ヶ月間のスケジュールを管理する第１のスケジュール記入欄５が示されている。
【００３０】
この第２紙片群２Ｂは、図６に示すように、他方の表紙１Ｂ側より紙片２をめくることで、経時的に順序良く第２のスケジュール記入欄６への記入ができるように構成されている。
図６において、第２紙片群２Ｂは、他方の表紙１Ｂ側より順番に配された第一紙片２Ｂ−１、第二紙片２Ｂ−２、第三紙片２Ｂ−３、第四紙片２Ｂ−４、・・・第十四紙片２Ｂ−１４、第十五紙片２Ｂ−１５によって構成されたものとして示されている。そして、第一紙片２Ｂ−１と第二紙片２Ｂ−２が見開かれる頁に、２０１１年１２月分の日付が印刷され、一ヶ月間のスケジュール管理が出来るようになっている。また、同様に、第二紙片２Ｂ−２と第三紙片２Ｂ−３が見開かれる頁に、２０１２年１月分の日付が印刷され、第三紙片２Ｂ−３と第四紙片２Ｂ−４が見開かれる頁に、２０１２年２月分の日付が印刷され、第四紙片２Ｂ−４と第五紙片（図示せず）が見開かれる頁に、２０１２年３月分の日付が印刷されたものとなっている。そして、第十四紙片２Ｂ−１４と第十五紙片２Ｂ−１５が見開かれる頁に、２０１３年１月分の日付７が印刷されたものとなっている。
【００３１】
このように本実施の形態の手帳１０では、各スケジュール記入欄５，６が、見開いたときの両方の頁に跨って（見開き状で連続する２頁に亘って）設けられている。
これにより、所定期間分のスケジュールを一目で確認することができるように見易くまとめて表示し、管理し易いものとすることが出来る。また、見開いたときの両方の頁に跨ってスケジュール記入欄を設けたものとすることで、見開いたときの一方の頁だけにスケジュール記入欄を設けた場合と比較して、紙片を大きくすることなく、スケジュール記入用のスペースを十分に確保することができる。
【００３２】
以上のように本実施の形態においては、２つの異なった対象のスケジュールの管理を、混同することなく効率良く容易に行うことができる。ゆえに、たとえば、第１のスケジュール記入欄は、仕事の予定を記入するものとし、一方、第２のスケジュール記入欄は、プライベートの予定を記入するものとして使い分けることができる。また、本考案では、第１のスケジュール記入欄では、自分の予定を管理するものとし、第２のスケジュール記入欄では、他者の予定を管理するようにしても良い。この他者としては、たとえば、子供やパートナー、恋人、アスリート、タレント等を挙げることができる。ゆえに、本考案の手帳１０においては、たとえば、親と子、夫と妻、彼氏と彼女、コーチとアスリート、マネージャーとタレント等といった関係のスケジュール管理を、混同することなく効率良く容易に行うことができる。
【００３３】
また、本考案の手帳１０においては、第１のスケジュール記入欄５又は第２のスケジュール記入欄６の少なくとも何れか一方が、紙片２を上下方向にめくって見開くことで用いる紙片群により構成されたものとしても良い。すなわち、図１（又は図３と図５）に示す本実施の形態のように、第１紙片群２Ａにおいては、紙片２を束ねる背部３の向きが垂直方向（縦型）となり、第２紙片群２Ｂにおいては、紙片２を束ねる背部３の向きが水平方向（横型）となるようにしても良い。
【００３４】
このように２つのスケジュール記入欄５，６を構成するそれぞれ紙片群２Ａ，２Ｂの見開き方が、視覚的かつ動作的に互いに異なるものとなることで、各スケジュール記入欄を明確に区別して２つのスケジュールが混同しないように効果的に管理することが出来る。
【００３５】
しかも、紙片群を上下方向にめくって見開く（すなわち、背部３の向きが水平方向となる）ように構成すると、図７に示すように、何の違和感も無く見開いた表紙１Ｂ及び紙片２Ｂが対面側の相手の目の前で自然と起立した状態に位置することになる。これにより、この表紙１Ｂ及び紙片２Ｂが相手の視界に対する障壁となって、紙片群を左右方向にめくって見開く（すなわち、背部３の向きが垂直方向となる）ように構成した場合に比し確実に、スケジュール記入欄の内容を対面側の相手に見せないようにすることが出来る。
【００３６】
ゆえに、本考案の手帳１０においては、スケジュールの管理を行う対象の秘密したい程度に応じて、スケジュール記入欄を構成する紙片群の向きを使い分けすることができる。したがって、スケジュール記入欄の紙片群は、図３及び図５に示すように、一方のスケジュール記入欄が左右方向に紙片をめくって見開くことで用いることができ、他方のスケジュール記入欄が上下方向に紙片をめくって見開くことで用いることができるように設けたものとすることができる。また、図３及び図８に示すように、何れのスケジュール記入欄も左右方向に紙片をめくって見開くことで用いることができるように設けたものとすることができる。さらに、図示しないが、何れのスケジュール記入欄も、上下方向に紙片をめくって見開くことで用いることができるように設けたものとすることができる。
【００３７】
また、本実施の形態においては、見開き状態の両方の頁（すなわち、２頁）を単位として、所定期間のスケジュール管理を経時的に行えるものとして説明したが、本考案においてはこれに限らず、見開き状態の片方の頁（すなわち、１頁）を単位として、所定期間のスケジュール管理を経時的に行えるものとしても良い。見開き状態の一方の頁にスケジュール記入欄を設けた場合、同他方の頁には、無地もしくは罫線や方眼が設けられたメモ記入欄を設けるようにすることができる。図９において、一方の表紙１Ａ側を見開いた一方の頁に第１のスケジュール記入欄５が設けられ、同他方の頁に横向きの罫線１９が複数設けられたメモ記入欄９が設けられたものとして示されている。
【００３８】
このように、スケジュール記入欄を見開いたときの一方の頁だけに設け、他方の頁にメモ欄が設けられるようにすることで、見開いたときに一目で確認することができる範囲において所定期間分のスケジュールを見易くまとめて管理する（表示させる）ことが出来る。また、スケジュールに関する簡易な見出し（表題）を一方の頁に設けられたスケジュール記入欄に記入し、その詳細を他方の頁に設けられたメモ欄に記入することが出来る。ゆえに、スケジュールの内容に応じてメモ欄を用いることで、スケジュールが無い場合や詳細事項のメモが必要でない場合において、スケジュール記入欄に無駄なスペースを確保しておく必要なく、限られた紙片上のスペースを効率良く使ってスケジュールの管理を行うことができる。
【００３９】
また、見開いたときの一方の頁だけにスケジュール記入欄を設けるようにした場合、見開いた状態で、第１のスケジュール記入欄５と第２のスケジュール記入欄６の双方を同時に確認することが出来るものとなる。すなわち、図１に示すように、たとえば、見開いた頁の左側に第１のスケジュール記入欄５を設け、一方、別途見開いた頁の右側（もしくは、上側）に第２のスケジュール記入欄６を設け、その間の紙片２・・２を中央で起立させるようにすると、見かけ上、見開いたときの一方の頁に第１のスケジュール記入欄５が露呈し、同他方の頁に第２のスケジュール記入欄６が露呈したものとなる。
【００４０】
これにより、２つの異なった対象のスケジュールを同時に確認することができるので、互いのスケジュール管理を効果的に行うことができる。図１において、見開いた状態の左側に第１のスケジュール記入欄５が露呈し、同右側に第２のスケジュール記入欄６が露呈して、同時に２つのスケジュールが確認できる状態が示されている。
【００４１】
また、本考案の手帳１０においては、紙２片の間に挟み込むことで所望の頁の目印とし、当該頁の見開きを容易にするしおり４を設けるものとしても良い。すなわち、第１のスケジュールの管理に用いるしおりと、第２のスケジュールの管理に用いるしおりとをそれぞれ設けるようにしても良い。図において、しおり４は、一端部が背部４に取り付けられた紐状のもの（いわゆる、栞紐）して、二つ設けられたものとして示されている。なお、しおり４の数は、本実施の形態のように二つだけに限定せず、必要に応じてそれ以上設けるものとしても良いし、一つだけ設けるものとしても良い。
【００４２】
このように、しおり４を少なくとも二つ以上設けるようにすることで、２つのスケジュール記入欄を備えていても、第１のスケジュール記入欄５及び第２のスケジュール記入欄６における所望の頁の見開きや、一方のスケジュール記入欄から他方のスケジュール記入欄への切り替えが容易にかつ円滑に行えるものとなる。
なお、しおりは、上述した紐状のものに限らず、たとえば、一縁部が表紙の縁部に取り付けられた短冊状片又は舌状片としても良い。また、紐状のしおりと、短冊状片又は舌状片のしおりの双方を設けるようにしても良い。
【００４３】
また、上記実施の形態においては、スケジュールを管理する所定期間が一ヶ月間とした場合について説明したが、本考案においてはこれに限らず、一週間やその他任意の期間を所定期間としてスケジュールの管理が出来るように、各紙片に予め日付が印刷されたものとしても良い。
【００４４】
さらに、本考案においては、第１紙片群２Ａ及び第２紙片群２Ｂは、長期スケジュール記入欄と短期スケジュール記入欄とから構成されているものであっても良い。長期スケジュール記入欄としては、たとえば、月間スケジュール記入欄し、一方、短期スケジュール記入欄としてとしては、たとえば、週間スケジュール記入欄とすることができる。
これにより、スケジュールに関する簡易な見出し（表題）を長期スケジュール記入欄（月間スケジュール記入欄）に記入し、その詳細を短期スケジュール記入欄（週間スケジュール記入欄）に記入することで、異なった頁に設けられた互いに関連するスケジュール記入欄を利用して多くの情報を効率良く効果的に管理することができる。
【００４５】
なお、上記実施の形態においては、表紙１と紙片２とが、紙片の取り外しが効かないように一体的に構成された綴じ手帳として説明しているが、本考案はこれに限定されず、表紙１と紙片２とを一体的に構成せず、複数の紙片２・・２だけを一辺側において一体的に束ねて手帳本体とし、この手帳本体の外側をカバータイプの表紙で覆うように構成した差込式の綴じ手帳としても良い。
【００４６】
また、図示しないが、本考案においては、紙片２が、一方の表紙１Ａと他方の表紙１Ｂとの間において挿脱可能なバインダー式により構成されるものとしても良い。このようなバインダー式の紙片を備えた手帳（いわゆる、システム手帳）は、たとえば、リング式の取り付け具の開閉によって、紙片の取り外しが自由に行えるものとなっている。
【００４７】
このタイプの手帳では、紙片として自分の好きな機能を備える用紙（いわゆる、リフィール）を追加したり、外したりすることが容易にできる。また、このとき表紙は、くるみ式ではなく、二つの平面部材から構成されたセパレート式とすることができる。ゆえに、本考案において複数枚の紙片は、表紙と一体的に構成された冊子となるように、背部側において綴じられている必要は必ずしもない。
【００４８】
このように、スケジュール記入欄を構成する紙片を挿脱可能なバインダー式とすることで、自分の好みや必要に応じてオリジナルの手帳を容易に作り上げることができる。すなわち、綴じ手帳の場合、スケジュール記入欄の記入向きや、スケジュール管理の期間といった様式が固定的に決められているため、途中で紙片を変更することが出来ないゆえ、変更が必要な場合、年の途中でも新たな手帳に変更するしかなかった。
しかしながら、紙片をバインダー式とすることで、スケジュールの管理を行う対象の変更や、スケジュール記入欄の記入向きの変更、スケジュールの管理を行う期間の変更等、自由に行うことができるものなる。
【００４９】
しかも、このタイプの手帳は、年末に翌年の所望のスケジュール記入欄を備える紙片を追加すればそのまま継続して使えるので、綴じ手帳の場合のように、年末の切替え時に、翌年の手帳と２つ並行して使わなければならないといった面倒もない。
【符号の説明】
【００５０】
１，１Ａ，１Ｂ  表紙、２  紙片、２Ａ，２Ｂ  紙片群、３  背部、４  しおり、５  第１のスケジュール記入欄、６  第２のスケジュール記入欄、７  日付、８  余白、９  メモ記入欄、１０  手帳。
【図１】
0003167702.tif 000003
【図２】
0003167702.tif 000004
【図３】
0003167702.tif 000005
【図４】
0003167702.tif 000006
【図５】
0003167702.tif 000007
【図６】
0003167702.tif 000008
【図７】
0003167702.tif 000009
【図８】
0003167702.tif 000010
【図９】
0003167702.tif 000011